(57)【要約】手に固定できるハンドストラップあるいは手袋のような、手保持装置（２５）であって、親指と人差し指の間に、手保持装置をポールグリップのフック状機構（１４）に固定するための可動性のループ（３３）を有する。このような手保持装置（２５）は、特に、歩行用杖、トレッキングポール、滑降スキー用ポール、クロスカントリースキー用ポール、ノルディックスキー用ポールなどのポールグリップ（１）とともに使用するのに最も好適である。ポールグリップ（１）は、グリップ要素（３）及び特にハンドストラップあるいは手袋の形状をした手保持装置を取り付けるためのフック状機構（１４）を具備している。ロック手段（６、１０）がフック状機構（１４）の領域に配置され、手保持装置上に設けられて、上方からフック状機構（１４）に挿入できる、ループ状、リング状、あるいはアイレット状の装置（３３）がセルフロッキング式にフック状機構（１４）に固定されている。【選択図】図２
2008525647.tif 000002
【特許請求の範囲】
【請求項１】
手袋、あるいは手に固定できるハンドストラップのような手保持装置（２５）であって、前記手保持装置（２５）は、親指と人差し指の間に、手保持装置をポールグリップのフック状装置（１４）に固定するのに適している、可撓性及び／又は可動性のループ（３３）を有している、手保持装置。
【請求項２】
前記ループ（３３）が、固有の剛性を有する、ケーブルあるいはストラップあるいは可撓性のプラスチックコードからなる、請求項１に記載の手保持装置（２５）。
【請求項３】
前記ループ（３３）が、本質的に、非可動的及び／又は非可撓的に前記手保持装置（２５）に固定されており、前記ループそのものが可動性及び／又は可撓性に設計されていることを特徴とする、前記請求項のいずれか１項に記載の手保持装置（２５）。
【請求項４】
手袋であることを特徴とする、前記請求項のいずれか１項に記載の手保持装置（２５）。
【請求項５】
前記手保持装置（２５）が、３つの開口部を有し、特に好ましくはタッチアンドクローズ式のファスナーで手に固定することのできるハンドストラップであり、最初の開口部が親指のものであり、第二の開口部がその他の指又は手の甲のためのものであり、ハンドストラップの第三の開口部が手首のためのものであることを特徴とする、請求項１から３のいずれか１項に記載の手保持装置（２５）。
【請求項６】
前記手保持装置（２５）上の、前記ループ（３３）の突出部が、本質的に、手を開き伸ばしたときに、親指と人差し指で規定される面上にあることを特徴とする、前記請求項のいずれか１項に記載の手保持装置（２５）。
【請求項７】
前記ループが編組されたプラスチック材料、特に好ましくはポリエチレン、ポリアミド、ポリプロピレン、アラミド、あるいはこれらの組み合わせから成っていることを特徴とする、前記請求項のいずれか１項に記載の手保持装置（２５）。
【請求項８】
前記ループ（３３）が、厚み１から５ミリメートル、好ましくは２から３ミリメートルであることを特徴とする、前記請求項のいずれか１項に記載の手保持装置（２５）。
【請求項９】
前記ループ（３３）が、５から２０ミリメートル、特に好ましくは５から１０メートルだけ、人差し指と親指の間のＶ字型領域を越えて突出していることを特徴とする、前記請求項のいずれか１項に記載の手保持装置（２５）。
【請求項１０】
前記ループ（３３）の長さが調節可能であり、特に好ましくは、非使用時に本質的に完全に手袋内あるいは手袋上に後退することができることを特徴とする、前記請求項のいずれか１項に記載の手保持装置（２５）。
【請求項１１】
前記手保持装置（２５）が、非使用時に前記ループ（３３）を挿入するための、ニッチあるいはポケットを含むことを特徴とする、前記請求項のいずれか１項に記載の手保持装置（２５）。
【請求項１２】
前記ループ（３３）の材料の非露出部が、両端において、前記手保持装置（２５）内あるいは上に、及び／又は、前記手保持装置（２５）の中間層の形状で、少なくとも２から１５センチメートル、特に好ましくは少なくとも５センチメートル、接着、縫いつけ、あるいは編組されているか、又はその他の方法で、手保持装置（２５）の外層間に固定されていることを特徴とする、前記請求項のいずれか１項に記載の手保持装置（２５）。
【請求項１３】
前記ループの材料が、手保持装置（２５）上に、幅３から３０ミリメートルのバンドストリップ、特にプラスチック系の織物からなるバンドストリップによって固定されており、前記バンドストリップは特に好ましくは、前記手保持装置（２５）の外部に縫い付けられるか、あるいは手袋に接着され、前記バンドストリップは、さらに好ましくは、手の甲と手の平を捲回するように、親指と人差し指の間のＶ字型領域に配置されていることを特徴とする、前記請求項のいずれか１項に記載の手保持装置（２５）。
【請求項１４】
前記手保持装置（２５）が、１つ以上の対応する凹部に３つの開口部を有し、特に好ましくはタッチアンドクローズ式のファスナーによって手または手袋上／内に固定できるハンドストラップが配置された手袋として構成され、第一の開口部が親指、第二の開口部が他の指あるいは手の甲、及びハンドストラップの第三の開口部が手首のために設けられ、前記ハンドストラップは、特に好ましくは、手の甲の領域に配置されたタッチアンドクローズ式のファスナーによって外部から調節できるように前記手袋の内部に配置されることを特徴とする、前記請求項のいずれか１項に記載の手保持装置（２５）。
【請求項１５】
前記ハンドストラップが、前記手袋から完全に除去され、手袋なしで使用できることを特徴とする、請求項１４に記載の手保持装置（２５）。
【請求項１６】
静置した状態では、前記ループ（３３）が本質的に、特に好ましくは直径３から１０ミリメートルを有する半円あるいは半楕円形状を成すことを特徴とする、前記請求項のいずれか１項に記載の手保持装置（２５）。
【請求項１７】
ポールグリップ（１）と共に、あるいは組み合わせて、特に歩行用杖、トレッキングポール、滑降スキー用ポール、クロスカントリースキー用ポール、およびノルディックスキー用ポール用に使用し、グリップ本体（３）および特にハンドストラップあるいは手袋の形状をした手保持装置を固定するためのフック状装置（１４）を有する、手保持装置（２５）であって、フック状装置（１４）の領域には変位可能あるいは回転可能なラッチ手段（６、１１）が配置されており、前記フック状装置（１４）に本質的に上方から押し込まれ、前記手保持装置上に設けられたループ状、リング状あるいはアイレット状の装置（３３）が、セルフラッチング作用によってフック状装置（１４）に固定され、特に好ましくは、前記フック状装置（１４）が前記ポールグリップ（１）の上部領域、手の側に配置され、前記フック状装置は、ポールの軸に好ましくは本質的に平行で、導入スロットを形成するべく前記グリップ本体（３）から手の側の方向にオフセットされているか、前記グリップ本体（３）のカットアウトとして配置されている保持ピンあるいは保持ペグ（１４）を含み、前記導入スロットの深さは好ましくは、前記保持ペグ（１４）もしくは保持ピンの幅および厚さよりも大きいことを特徴とする、手保持装置。
【発明の詳細な説明】
【技術分野】
【０００１】
本発明は、手袋や手に固定することができる、ハンドストラップなどの、手に把持する装置に関する。前記手保持装置は、親指と人差し指の間に、ポールグリップ、特に、歩行用杖、トレッキングポール、滑降用スキー用ポール、クロスカントリースキー用ポール、及びノルディックスキー用ポールに連結するための接続要素を有する。このような手保持装置は、好ましくは、着脱可能及びセルフラッチング式で、フック状の装置を具備するグリップ本体を有するポールグリップに固定するのに適している。
【背景技術】
【０００２】
例えば、米国特許５、５１６、１５０号から公知であるようなポールグリップは、フックがその上に具備されており、湾曲した金属要素から成る、硬い弓状の装置が、関連する手袋の、親指と人差し指の間に具備されている。前記弓部は、その長く伸びた脚部がフックの狭い溝穴に差し込まれ、フック状の装置は弓部、ひいては手袋を、ポールグリップに固定する。
【０００３】
ここで、フックの底部で溝穴は予め若干拡大している。それは、弓部がフックの方に移動した場合、それは最初にフックの２つの脚部をわずかに引き離し、弓部が拡大した部分に押し込まれたとき初めて脚部がもとの位置に撥ね返ることを意味する。
【０００４】
フック状の装置の弾性的な変形は、このようにして、弓部をフックに簡単に固定し、弓部がフックからすぐに滑り出してしまうような状況を避けるために使用される。
【０００５】
このような装置の問題の一つは、通常プラスチックや金属から成る、このような部品が繰り返し変形すると、疲労の兆候から望ましくないということである。
【０００６】
また、材料の弾性変形は、温度に対する依存性が非常に高いという問題もある。そのため、変形によって達成される固定動作は、異なった温度に対して、調整もできないし、一定に保つこともできない。
【０００７】
これは、特にスポーツの分野では、全く受け入れられない問題である。なぜなら、様々な気候条件や、使用中の加熱やウォームアップによって、温度差が大きくなることは避けられないからである。
【発明の開示】
【０００８】
本発明は上述の問題に鑑みて成されたものである。かくして、本発明の目的は、従来技術を改良し、着脱可能及び、特に好ましくはセルフラッチング式に、フック状の装置を具備するポールグリップに固定するように意図された、手保持装置を提供することにある。ここで特に懸案となるのは、このような手保持装置を、歩行用杖、トレッキングポール、滑降スキー用ポール、クロスカントリースキー用ポール、およびノルディックスキー用ポールに関連して使用するために改良することである。これらのポールグリップは、特に、ハンドストラップあるいは手袋の形状をした、手保持装置を固定するための、フック状の装置を具備したグリップ本体を有する。本発明の目的は、親指と人差し指の間に、接続要素として、手保持装置をポールグリップのフック状の装置に固定するための可動性すなわち本質的に可撓性であるループを有した、例えば手袋や手に固定できるハンドストラップの形状を有する、手保持装置によって達成される。このような手保持装置は、ポールグリップに関連して使用する場合、つまり、可変的あるいは回転可能なラッチ手段がフック状装置の領域に配置され、好ましくは本質的に上方からフック状装置に挿入又は押し込まれ、手保持装置上に備え付けられる、ループ状、リング状、あるいはアイレット状の装置が、フック状装置にセルフラッチング作用によって固定される場合に、有利であることが判明している。
【０００９】
従来技術において通常絶対に必要とされていたような、硬い要素を接続要素として設けるよりは、むしろ、例えば、もう一方の手の助けを全く必要とせずにこの接続要素がフック状装置に押しつけられるように、本発明の要旨は、単純なループ形状をした、本来的に可撓性、すなわち可動性の要素を提供することにある。これは、接続要素が、使用中、手保持装置がポールグリップ上に固定されたとき、そして、手保持装置がポールグリップ上に固定されていないとき、接続要素のわずらわしさがかなりなくなることを意味する。驚いたことに、それにもかかわらず、そのような可動性のループは、生じる大きな力を簡単に吸収することができ、さらには、ポールグリップがきちんと握られていないときでも、最適なガイダンスを可能とする。ここで、ループは、好ましくは、その残存する本来的な剛性によって、フック状装置に簡単に押し付けられるように、親指と人差し指の間に突き出すような形で手保持装置に固定される。
【００１０】
上述のポールグリップと共に用いるのに特に適した手保持装置は、ゆえに、可動性のループあるいはアイレットを、親指と人差し指の間のＶ字型領域に有する装置である。そのような手保持装置は、上述のポールグリップと、キーとロック、あるいはプラグとソケットのように協動する。小さいループは特に好ましく、邪魔にならない。その場合、そのような手袋あるいはそのような手保持装置はまたバイアスロンなどにも適している。
【００１１】
ループは、特に、可撓性の材料から成り、親指と人差し指の間の空間の位置に安定させるだけの十分なレベルの固有の剛性を有している。それによって、ループがフックあるいは保持ペグ上にまっすぐに導入され、逆に言えば、使用中、使用者によってループは全く感知されないか、ごくかすかに感知されるだけである。使用可能なループの例としては、表面を被覆されたケーブルやワイヤからなるものが挙げられる。そのようなループの材料として基本的に適している他の要素の例としては、膨張性が限られていて、張力に対して安定した、布地のシースに内包された繊維、あるいは、アラミド繊維、ケブラー繊維、ダイニーマ繊維などの対応する材料を使用してコード状あるいはケーブル状に編組された保持部材が挙げられる。もし、このような材料をループとして使用した場合、厚さ１から５ミリメートルのコードが最も適しており、厚さ２から３ミリメートルが好ましい。十分なレベルの固有剛性をループに付与するため、そのようなコードは、例えば単繊維ナイロン、ナイロンや薄い金属ワイヤといった、比較的堅い材料の混交繊維から成る「コア」を、補強材として具備していてもよい。厚さ０．５から２．５ミリメートル、好ましくは１から２ミリメートルの範囲のケーブルが特に好ましい。
【００１２】
例えば、編組された、あるいは撚られたケーブルはその他の材料、例えば銅あるいはプラスチックで被覆できる。代替として、ループをプラスチック材、好ましくは、繊維強化プラスチック材から、例えば、帯状に作製してもよい。プラスチックの例としては、ポリアミド、ＰＥ、ＰＰなどが適している。その場合、材料を組み合わせて層状の構成にすることもまた可能である。特に、例えばアラミド繊維による繊維強化が好ましい。
【００１３】
ループは、５から２０ミリメートル、特に５から１０ミリメートル、親指と人差し指の間のＶ字型領域を越えて突出することが好ましい。この場合、ループの方向は、ある程度、親指と人差し指が成す角を二等分する線に実質的に沿っている。
【００１４】
ループは調整可能であることができる。この調整性は、長さを特にユーザに適するように調整するためのものであるが、ループが必要とされない場合、ループを後退させて、使用中、感知されないようにするためのものでもある。使用しない間、ループを小さいポケットにしまいこむことも可能である。このポケットは、この目的のために、同様に手保持装置の親指と人差し指の間のＶ字型領域に具備されたものである。後者は、設計上、特に簡単であり、ループの固有の剛性に関する限り、ループはそのようなポケットに収納され、特に操作されなければ、手保持装置の使用中、ポケットから取り出すという特殊な処置が採られることもなくそのまま隠されたままにされる。
【００１５】
ループにかかる力が手保持装置とできるだけうまく確実に連結されるようにするため、ループのワイヤ／ケーブルは、少なくとも部分的に、手保持装置内あるいは装置上で、手首の方向に案内することができる。ドイツ特許１９７５１９７８  Ｃ２に記載されているような、調整装置を組み合わせることも可能である。その開示は、この点に明らかに含まれる。この文書に引用された剛性の接続要素の代わりに、可撓性のループを単に設ける。ループは、手袋なしでポールを使用する場合、特にわずらわしさが軽減する。
【００１６】
本発明の第一の態様による、手保持装置は、ループは、本来、可動性のケーブルあるいは弓部あるいは固有の剛性を有する、可撓性のプラスチックコードを含むことを好ましくは特徴とする。ここで、ループが本質的に非可動的に、手保持装置の上に固定されるのが好ましいが、ループそのものが可動的に設計されていてもよい。
【００１７】
上述したように、手保持装置は手袋か、さもなければ三つの開口部を有するハンドストラップでよく、特に好ましくはタッチアンドクローズ式のファスナーによって、手に固定され、第一の開口部は親指のためのものであり、第二の開口部はその他の指あるいは手の甲のためのものであり、そして第三の開口部は手首のためのものである。
【００１８】
ループをできるだけ簡単にフック状の装置上に導入するため、そして力を確実に理想的に伝達するため、手保持装置上に突出したループの部分が、本質的には手が開き、伸びた場合に、親指と人差し指で画定される面に配置されていれば有利であることが判明した。
【００１９】
上述したように、好ましくは、ループはプラスチック材料から成り、好ましくは、配向された及び／又は限られた膨張力を有するプラスチック繊維である。特に好ましくは、ポリエチレン系のプラスチックで、特に、ダイニーマ（登録商標）、ポリアミド、ポリプロピレン、アラミド、これらの組み合わせなどが好ましい。好適な組み合わせは、たとえば、配向ポリエチレン繊維から成るコアが、編組された合成繊維によって編組されたスリーブ状に封止されるというのが好ましい。
【００２０】
本発明による手保持装置のさらに好適な実施態様は、ループの長さが調節でき、それによって、特に好ましくは、非使用時、ループが本質的に手袋の中あるいは上に完全に後退できることにある。代替として、手保持装置にニッチ又はポケットを含有させ、そこに非使用時のループを挿入できるようにすることも可能である。
【００２１】
ループをできるだけ良く、手保持装置、特に手袋上に固定させるためには、少なくとも２から１５センチメートル、特に好ましくは少なくとも５センチメートルにわたって、ループ材料の非露出部が、両端において手保持装置の内部あるいは上に、及び／又は手保持装置の中間層の形で、接着、縫いつけ、あるいは編組されているか、又は手保持装置の外層間に他の方法で固定させるのが有利であることが判明した。
【００２２】
ループ材料は、また、手保持装置に、たとえば、編組されたプラスチック系の布材料から成る幅３から３０ミリメートルのバンドストリップで固定する。このバンドストリップは、特に好ましくは、手保持装置の外側に縫い付けられるか、手袋に接着又は縫い付けられる。さらに好ましくは、バンドストリップは、手の甲と手の平を囲むように、親指と人差し指の間のＶ字型領域に配置される。
【００２３】
さらに好ましい態様は、ハンドストラップがある程度、手袋の中に一体化されることである。その場合、可動性のループを有したハンドストラップそのものが、手袋なしでも使用でき、ハンドストラップを埋め込まんだまま、手袋を使用できる。手保持装置は、１つ以上の対応する凹みの中に、好ましくは３つの開口部を有し、手の上、又は手袋の上／内に、特に好ましくはタッチアンドクローズ式のファスナーで固定できるハンドストラップが配置された手袋として構成することができ、第一の開口部は親指のためのものであり、第二の開口部は他の指又は手の甲のためのものであり、ハンドストラップの第三の開口部は手首のためのものである。ハンドストラップは、特に好ましくは、手の甲の領域に配置された、タッチアンドクローズ式のファスナーで外側から調節できるように手袋の内部に配置される。ハンドストラップは、好適には、手袋から全部取り出され、手袋なしで使用されることができる。
【００２４】
手保持装置のさらに好ましい態様として、静置した状態において、ループは、本質的に半円又は半楕円形を成しており、特に好ましくは直径が３から１０ミリメートルである。
【００２５】
手保持装置のさらに好ましい態様は、従属項に記載されている。
【００２６】
上述したように、このような手保持装置は、特に好ましくは、ループがセルフラッチング式にフック状の装置に押し込まれるポールグリップと共に使用できる。ラッチのために、回転可能又は変位可能な要素を使用すれば、手保持装置をポールグリップに固定するためのセルフラッチング機構において、フック上で材料変形が生じることは本質的にない。かくして、使用される好ましい機構においては、ループ状、リング状、あるいはアイレット状の装置がラッチ位置に押し込まれ、対応するラッチ手段が変位するか回転する。これによって、これらラッチ手段を特殊な融通のきく配置とすることが可能となる。この配置は、特に、磨耗に強く、必要であれば調節可能で、力の温度に対する依存性が低い。フック状の装置は、ポールグリップの上部、例えば、手の側に配置される。フック状の装置は、ポールの軸に好ましくはほぼ平行に（一定量傾いていてもよいが）配置された保持ピンあるいは保持ペグから成り、グリップ本体から手の側の方向に遠隔し、導入スロットを形成する。導入スロットの深さは保持ペグ又は保持ピンの幅及び厚さより大きい。遠隔することは、必ずしも、保持ペグ又は保持ピンがグリップ本体の輪郭を超えて突出しなければならないという意味ではない。保持ペグ又は保持ピンが、特にこの目的のためにグリップ本体に設けられ、上方および背部方向に開放した凹部に配置されていることも可能である。フック状の装置は、通常、幅３から１５ミリメートル、好ましくは４から１０ミリメートルを有すると有利である。また、フック状の装置は、特に好ましくは、ポールの軸に対し垂直方向に、本質的に楕円又は矩形（あるいは角が丸い矩形）の断面形状を有する。この場合、主軸である短軸がグリップ本体に配向するのが好ましい。導入スロットは、通常深さが５から３０ミリメートル、好ましくは１０から１５ミリメートルである。ここで、フック状装置の、例えば、ラッチ手段と正反対側に、わずかな凸部を設けることも可能である。
【００２７】
フック状の装置はグリップ本体と一体化して形成してもよい。特に、後述する機構と組み合わせた場合、及び、その機構を収容するための凹部がポールグリップに設けられた場合、フック状の装置を別の部品として設計するのが得策である。そしてこれは、好ましくはその機構がグリップ本体の凹みに挿入されたとき、固定装置によってグリップ本体に固定される。これは、例えば、フックの下に、固定プレートを有するフック状の装置によって実現される。このプレートによって、フック状の装置がグリップ本体に、手の側から固定（例えばネジ又はリベット、クリップなどによって）される。
【００２８】
既に説明したように、グリップ本体は、手の側から、例えば変位可能に配置された要素を収容する凹部を有する。特に好ましくは、その上又は内部にラッチ手段を配置した、拘束ブロック（ａｒｒｅｓｔｉｎｇ  ｂｌｏｃｋ）の形状を成す。これらのラッチ手段は、拘束ブロックと一体に形成することも、別の部品として形成することも可能である。後者の場合、その別の部品は、例えば制約ノーズ（ｒｅｓｔｒａｉｎｉｎｇ  ｎｏｓｅ）の形状を成し、拘束ブロックに固定又は可動的に連結することができる。
【００２９】
拘束ブロックは、好ましくは、凹部の方向と平行に変位できるように案内される。また、回転するように配置することも可能である。拘束ブロックは、凹部の前に配置されたフック状の装置に対し、バネ（一般に反発力を有した弾性要素をも含む）、特に好ましくは螺旋状のバネによってブレース（ｂｒａｃｅ）される。これによって、上述したセルフラッチング機構が実現する。
【００３０】
手保持装置がポールグリップから再び分離できるようにするためには、ラッチ手段を押し戻し、手保持装置をフックから開放する手段を設けなければならない。これは、少なくとも１つの作動ボタンによって、拘束ブロックを弾力に対抗して外側から変位させることによって可能となる。セルフラッチング機構はこの工程で開放され、この場合、この目的のために、特に好ましくは凹部に対してグリップ本体に、スロットが横方向に設けられる。そしてこれらのスロットによって、両端に配置された作動ボタンが拘束ブロックに、例えば、これら２つの要素の間にクロスピース又はピンによって形成された、固定した接合部によって、動作可能に接続する。
【００３１】
各種の異なった方法によって、拘束ブロックをグリップ本体に、回転可能あるいは変位可能に取り付けることが可能である。かくして、例えば、最上層、すなわち、いわば、ポールグリップの上部を拘束ブロックとして設計することが可能である。その場合、ある程度、拘束ブロックの背後で、ポールグリップの底部に固定するか、又はそれと一体に形成されて、フック状装置が、手保持装置のループを拘束ブロック及びフック状装置の間に固定するように、設けられる。
【００３２】
拘束ブロックの内部又は上に、少なくとも１個の作動ボタンを設けることも可能である。そのボタンによって、好ましくはピンの形状をした拘束ブロックの内部に配置された保持手段が、バネ力に対抗して変位し、セルフラッチ機構が工程内で開放される。グリップ本体に、手の側から及び上からラッチ手段が設けられている、拘束ブロックの形状を成し、変位可能及び／又は回転可能に配置された要素を収容するための凹部を設けることも可能である。この拘束ブロックは、ポールグリップの空隙に配置された、軸方向に螺旋形を成すバネによって、非常時の作動のために下方にブレースする。この応力は、好ましくは、調節ナットによって調節できる。
【００３３】
グリップ本体に、上側から、特に好ましくは拘束ブロックの形状を成した、変位可能及び／又は回転可能に配置された要素を収容する凹部を設けてもよい。そのブロックの上にラッチ手段が配置されている。凹部が上方から設けられた場合、組み立てあるいは搭載のさまたげになることなく、例えば、グリップ本体と一体化させ、また例えば、グリップ本体の手の側に配置された単純なスロットやカットアウトとして、フック状装置を形成することが可能である。拘束ブロックはここで、フック状装置とグリップ本体の間に配置された、好ましくはスロット面に平行な水平軸要素に対して回転可能に取り付けることができる。そして、拘束ブロックは、バネ、特に好ましくは螺旋状のバネ、あるいは板バネによって、手の側に配置されたフック状の装置に対してブレースすることができる。そして拘束ブロックは、バネの力に対抗して、少なくとも１つの作動ボタンによって外部から傾斜することができ、セルフラッチング機構はこの工程において開放される。この場合、例えば、作動ボタンは、ポールグリップの上部に本質的に設けられる。すなわち、拘束ブロックが、上方からある程度露出し、拘束ブロックの一部あるいは表面が作動ボタンを形成する。
【００３４】
ラッチ手段は、特に好ましくは、導入方向から見た場合、上部に向かった角度つきのフランクを有した制限ノーズの形状に設計でき、フック状の装置に対してブレースされる位置において、好ましくは調節可能な力によって制限される、ループ状、リング状、あるいはアイレット状の装置のための領域を下方へ画定する。この制限ノーズは、拘束ブロックの上か、又は、いわば反対方向、すなわちフック状装置の上に配置することができる。
【００３５】
ラッチ手段は安全機構として設計してもよい。これによって、通常の使用時の力を超えて、フック状装置の開口部方向に、負荷が加わる場合、ループ状、リング状、又はアイレット状の装置が非常事態として開放されるが、これはスキーバインディングに関連して知られている機構と類似している。これは、このノーズ又はノーズ領域等の弾性変形によって実現できる。そして、これは、凹部の開口部方向に本質的に垂直に配置された、好ましい水平軸要素の周りに回転可能に配置された制限ノーズによって、より良く制御され、又は調整さえできるため、好ましい変形である。この場合、規定された、そして上述したような、好ましくは調節可能な力に対向して、上方の領域を開放するための、上方向の回転のみが可能である。制約ノーズは、引張バネ、弾性バネ、あるいは螺旋状バネ、又はそのような弾力のある要素の組み合わせによって、回転位置にブレースされる。回転位置では、制限ノーズは領域を封鎖する。このブレースは、特に好ましくは調節可能で、その場合、安全のための動作は８０から２５０ニュートンより大きい力の下でのみ行われる。ポールグリップのさらに類似した態様は、制限ノーズが、変位可能に取り付けられており、その場合、上述したように、既定され、好ましくは調節可能な力に対抗して領域を開放するための上方への変位が可能であり、好ましくは、バネ又は弾性要素によって、力が確実に加わる。
さらに、フック状装置の領域における屈曲作用（ｙｉｅｌｄｉｎｇ  ａｃｔｉｏｎ）によって、安全な作用が実現する。この目的のため、フック状装置を、軸要素の周囲で、弾性力に対抗して、手の側の方向に変位又は傾斜させて、領域を開放できるように構成してもよい。代案として、又は付加案として、フック状装置のスロット側に弾性領域を設けることも可能である。この弾性領域は、例えば、板バネ又は弾性部分（特に、柔軟な弾性的ポリマー部分など）によって実現できる。
【発明を実施するための最良の形態】
【００３６】
本発明を、具体的態様を参照し、図面に関連してより具体的に説明する。
図１ａ）からｆ）は、ポールグリップのそれぞれ異なった図である。ポールグリップ１は、グリップ本体３を含む。グリップ本体３は、通常、プラスチック材料から、射出成形で形成される。下からわかるように、グリップ本体３は凹部あるいは空隙５を有し、その中に、例えばアルミニウム軸又は炭素繊維軸、又はガラス繊維軸から形成されるポールが押し込まれ、そこで固定される。
【００３７】
ポールグリップ１は、その上端部に凹部４を有する。この凹部４は、手の側４３から見れば、いわば止り穴（ｂｌｉｎｄ  ｈｏｌｅ）の様に設計されている。通常、高さ１０から３０ミリメートル、幅３から２０ミリメートルのこの凹部４に、拘束ブロック６が設けられている。この拘束ブロック６は、凹部４に、変位可能に案内され、バネ７によって、凹部４の開口部方向にブレースされる。バネ７は螺旋バネであり、その一端は、凹部において、円筒形の止り穴として構成される停止孔（ｓｔｏｐ  ｂｏｒｅ）８に案内され、もう一端は、拘束ブロック６のガイドペグ１９上を案内される。
【００３８】
凹部４は、付加的に２つのスルースロット（ｔｈｒｏｕｇｈ−ｓｌｏｔ)１７を有し、それはグリップ本体３から横方向に引き出される。これらの領域において拘束ブロック６は、作動ボタン９がそれぞれ両側に固定される孔を有している。作動ボタン９はそれぞれ、拘束ブロック６に向いたクロスピース２０を有しており、そして拘束ブロック６が押し込まれると、外部から上述の横方向スロット１７を通じて、拘束ブロック６内に固定される。その目的のために、ねじ又は固定ピン２１がそれぞれ使用される。これは、作動ボタン９が、外部からの操作によって変位し、それによって、通常、バネ７の力の結果、拘束ブロック６は最大限可能な範囲において、手の側の方向に位置させられる。この最大限可能な位置は、好ましくは、スロット１７の手側の端部によって決定される。拘束ブロック６は、外側から加えられるバネの力に対抗して、凹部４に押し込むことができる。これによって、拘束機構を手保持装置のために開放する。
【００３９】
フック状装置によって、手保持装置がそのようなポールグリップに実際に確実に固定される。このフック状装置は、手の側に配置された保持ペグ１４を含む。保持ペグ１４は、実際のポールグリップから手の方向にわずかに遠隔される。深さが通常少なくとも１０ミリメートルのスロットがその間に形成される。
【００４０】
組み立てを簡単にするため、保持ペグ１４は固定プレート１６に接続されるか、一体に形成される。固定プレート１６は、保持ペグ１４の下に位置し、ポールグリップ３に、挿入のために設けられた凹部に挿入され、そこに固定される。このモデュラー構造により、通常は凹部４の前に配置されている保持ペグ１４が、凹部４に配置されていなければならない要素が凹部に挿入された時点で、本来の位置につくことができる。
【００４１】
拘束ブロック６それ自体も、同様に凹部２４を有する。その凹部２４は、横方向と底では塞がっているが、上部で開放されている。安全作動要素１２が、可動的に凹部２４中に配置されている。この目的のため、安全作動要素１２は軸ピン２２によって回転できるように拘束ブロック６内に配置されている。この回転可能な配置もまた、バネ力に対抗するものであり、引張バネ１０がこの場合、設けられる。この引張バネは、一端が凹部２４の基底部にあり、もう一端が安全作動要素１２の後側にある。バネ力はこのようにして安全作動要素１２をその閉じた位置に保持する。すなわち、その位置において、安全作動要素１２の制限ノーズ１１が、保持ペグ１４と共に閉じられた領域１５を画定し、そこに手保持装置のループが最終的に配置される。引張バネ１０の代わりに、螺旋状のバネ、エラストマーバネ等、又はそれら弾性要素の組み合わせを使用することも可能である。それは、例えば、凹部２４の背後の壁に操作可能なように接続される。特に、低温では、螺旋状バネの使用が好ましく、さらに、ノーズ１１の制限力の調節を可能にする。図１ｃ）及び１ｆ）に特に示されているように、安全作動要素にはその下方にノッチを有し、これによってケーブルが領域１５において、効果的に制限される。
【００４２】
上述したように、手保持装置はループ３３を有し、それは保持ペグ１４を超えて案内される。もしループ３３が、上方から、保持ペグ１４を超えて案内され、下方に引っ張られるならば、全体の拘束ブロック６が凹部４に変位される。なぜなら、上から下に圧力がかけられる場合、安全作動要素１２の斜めの上部フランクが、バネ力に対抗して拘束ブロック６を後方に押し、保持ペグ及びグリップ本体の間の間隙が開放されるからである。ループがいったん領域１５に到達すると、バネ７のバネ力の結果、全体の拘束ブロックが保持ペグ１４に向けて再び撥ね戻され、領域１５は閉じられる。手保持装置は、このようにして、グリップ本体に、自動的に固定／ラッチされるため、さらなる操作は必要ではない。
【００４３】
保持ペグとグリップ本体の間のスロットから、手保持装置のループが再度除去されると、全体の拘束ブロック６が、バネ力に対抗し、作動ボタンによって上方に変位する。この場合、ノーズ１１は領域１５を開放する。
【００４４】
手保持装置をグリップ本体に自動的に固定するこの手段に加え、安全作動機構が設けられる。この目的のため、安全作動要素１２が、バネ力に対抗して、上方に開放する。これは、拘束ブロックを保持ペグまで完全に押し動かしたとき行われる。ループに、上方向への強い力（例えば、落下の場合には）がかかると、安全作動要素１２は軸要素１３に対して回転し、領域１５が開放され、その結果、ループ、およびそれに対応して、手保持装置が、グリップ本体から開放される。
【００４５】
図１ｇ）に表したように、安全機構を保持ペグ上に設けてもよい。この目的のため、保持ペグは凹部４１を有し、その中で、安全作動要素１２が、軸要素１３の周囲を回転できるように配置される。バネ７、この場合螺旋状のバネとして再び設けられ、必要な作動力を規定する。この場合、例えば、ねじでバネ７の回復力を調節することが可能である。ねじは、外部から手の側の保持ペグ上で作動できる。ねじは、例えば、バネを短くするためにねじ込まれ、バネの回復力は結果的に、増加する。
【００４６】
図２は、本発明によって構成された手保持装置を示す。手保持装置は手袋２５として構成され、この手袋は、基本的に、ドイツ特許１９７５１９７８Ｃ２に記載されているような固定ガイドを有する。固定ガイドの詳細を述べると、とりわけ、調節手段３２と同様に捲回固定装置３１（ｅｎｃｉｒｃｌｉｎｇ  ｆａｓｔｅｎｉｎｇ  ｄｅｖｉｃｅ）を含み、例えば、タッチアンドクローズ式のファスナーとして設計されてもよい。これに関してはドイツ特許１９７５１９７８Ｃ２を参照されたい。
【００４７】
この場合、ドイツ特許１９７５１９７８に記載されたフック状の接続要素の代わりに、親指２６と人差し指２７の間のＶ字型領域にループ３３が配置される。ループは、例えばステンレススチール、アラミド、ダイニーマ（登録商標）等の被覆された合成繊維の、厚さ１．５ミリメートルのケーブルから作製される。ケーブルは撚られたケーブルであり、必要であれば、プラスチック又は金属から成る被覆を有し、その周囲に真鍮製の管が配置されるか又は例えば熱可塑性に一体化して形成された、又は編組されたポリマー材料からなるシースを有していてもよい。
【００４８】
ループ３３は、ポールの使用中に生じた力が効果的に手に分配されるように、手に把持する装置に固定されなくてはならない。それは図２に示される手保持装置の場合、確実となる。代替の構成は、図３に示される。図３ａ）においては、ケーブル３５は、最初の例として、手の平の固定具３６にその一端が固定されている。それは、ガイドスリーブ３４を通じて親指２６と人差し指の間のＶ字領域に案内される。実際のループ３３は、ここで露出し、ケーブル３５は、再度、ガイド３４を通じて下方に案内される。ガイドスリーブ３４の底部端には、偏向手段３７及び固定具３８が設けられている。ここにおいて、ケーブル３５は可変的に調節できる（矢印）。ループ３３の長さはこのようにユーザに合わせて調節でき、生じる力は手袋に効果的に分配される。さらに、ケーブル３５は完全に後退することが可能である。この場合、外側に突出するループ３３はない。これは特に、手袋がポールグリップと共に使用されない場合に有利である。接合要素を手袋から除去しなくてはならないというその他の方法と対称的に、この方法は、接合要素、換言すればループを、除去する必要なく、手保持装置内に隠しておけるという点で有利である。
【００４９】
別の方法を図３ｂ）に示す。この場合、ケーブル３５は、その底部、ボタン３９、で長さを調節可能な、捲回（ｅｎｃｉｒｃｌｉｎｇ)ケーブルとして構成されている。さらなるボタン４０を設けることも可能である。それはさらに下方に配置され、ループが隠されなければならないときに、そのボタンによりケーブル３５を後退させることができる。
【００５０】
最後に、図３ｃ）は、ケーブルが、手段３６によって底部で固定される構成を示す。ループ３３は、ここでは長さ調節ができない。しかし、非使用時にループを隠せるようにするために、親指と人差し指の間のＶ字型領域に小さいポケットが設けられる。非使用時には、ループ３３は底部に開口部を有したこのポケット４１に押し込まれる。これにより、ループ３３がさまたげになることはない。
【００５１】
手保持装置２５は、手袋又は素手の上に装着し、ループ３３を有するハンドストラップの形状であってもよい。従来のハンドストラップを使用する場合、機構は安全作動手段として作用する。手に固定されるハンドストラップ（通常、手首上及び親指と人差し指の間の両方に案内され、例えばタッチアンドクローズ式のファスナーによって固定されるハンドストラップ）を使用する場合、上記に示した手袋の場合と同様に使用される。
【００５２】
さらなる具体的な態様が図４に示される。この図に示されるのは、滑降用スキー用グリップというよりはむしろ、クロスカントリースキー用グリップ又はノルディックスキー用グリップである。この場合、グリップ本体３と別に形成されるというよりは、フック状装置１４はグリップ本体を構成する部分である。フック状装置はグリップ本体３に設けられたスロットによって実現される。対応して、拘束ブロック６を収容するための凹部４が上方から設けられる。この具体的な態様において、拘束ブロック６は、変位可能というよりは、軸方向要素４４に対し回転可能に配置される。対応して、作動ボタン９が、上端部に配置され、拘束ブロック６の傾斜によって、囲まれた領域１５が開放される。図４による具体的な態様において、拘束ブロック６をブレースするために、拘束ブロック内対応する凹部４６に板バネ７が設けられる。制限ノーズ１１が、拘束ブロック６上に一体化して形成され、このノーズ１１は、図４による具体的態様においてはアンダーカット（ｕｎｄｅｒｃｕｔ）を有する。対応して、この具体的な態様においては、安全作動手段を全く有していない。むしろ、ループがスロットから強く上方に引っ張られると、ループが装置内でしっかりと保持される。
【００５３】
セルフラッチ手段が設けられれば、ポールグリップ１の上方全域を、回転可能又は変位可能な構成とすることが可能である。そのため、図４に示される具体的な態様の場合のように、凹部を設ける必要はない（図１に示される具体的態様についても同様である）。その代わりに、拘束ブロック６の全体を、ポールグリップの最上領域又はヘッドとして設計し、変位可能又は回転可能のどちらかの形にも配置することも可能である。
【００５４】
図５は、図４による具体的態様に基づく別の具体的態様を示す。
【００５５】
図５ａ）は、上方に向いたフランクを有するノーズ１１を設けた場合を示す図である。この具体的態様において、ループがスロットから強く上方に引っ張られると、拘束ブロック６が回転して、安全作動が確実となる。
【００５６】
安全作動手段をより具体的に図５ｂ）に示す。この場合、安全作動要素１２は、拘束ブロック６の孔に案内される変位可能なノーズとして設計され、螺旋状のバネ４９にブレースされる。ここで、ループがスロットから強く引っ張られる場合、ノーズ１１がその上に一体化して形成されている安全作動要素１２全体は、拘束ブロック６に変位し、その結果、領域１５を開放する。
【００５７】
代替の安全作動手段を図５ｃ）に示す。この場合、安全作動要素１２は、軸要素１３の周囲を回転できるように配置され、バネ４９にブレースされる。ここで、ループがスロットから強く引っ張られる場合、ノーズ１１がその上に一体化して形成されている安全作動要素１２全体は、拘束ブロック６に傾斜し、その結果、領域１５を開放する。
【００５８】
さらなる代案を図５ｄ）に示す。この場合、安全作動要素１２は、弾性的要素としてもよいが、板バネ状要素として設計される。この要素は全体として可動であり、領域１５は、ループがスロットから強く引っ張られて要素１２全体が変形すると、この要素によって形成されたノーズ１１によって開放される。
【００５９】
他の方法を図５ｅ）による具体的態様で用いる。この場合、安全作動手段はフック状装置１４の上に設けられる。この目的のため、フック状装置１４は内部に間隙を有し、その中に板バネ状の要素１２が配置される。強い力がかかる場合、この要素はフック状装置１４に対してたわみ、結果として、安全作動手段と同様に、領域１５を開放する。
【００６０】
さらに別の方法を図５ｆ）に示す。この場合、フック状装置１４全体が、軸要素５０の周囲を回転できるように配置される。強い力がスロットから発生した場合、フック状装置全体１４が矢印で示される方向に回転し、その結果、領域１５を開放する。フック状装置１４の回転可能な配置が、例えば、螺旋状のバネによって調節可能な力に対して、同様に確実となる。
【００６１】
図６および図７は、本発明のさらなる具体的態様を示す。図６は、ポールグリップ１の全体を示したもので、図６ａ）は横方向から見た図であり、図６ｂ）は背後、すなわち手の側（図６ａ）における矢印４３で示す）から見た図である。図６ｃ）は、図６ｂ）を線Ｂ−Ｂで切り取った断面図であり、図６ｄ）はポールグリップを上方から見た図である。
【００６２】
滑降スキー用ポールのポールグリップ１も又、グリップ本体３及び、ポールシャフト（図示せず）を収容するための空隙５を有する。
【００６３】
この場合、保持ペグ１４は、図６ｃ）からわかるように、グリップ本体３と一体化して形成される。しかし、図１ｆ）、及びそこに示された要素１４および１６のように、保持ペグ１４が別の要素の形状を成すことも可能である。
【００６４】
グリップ本体３は、上部で開放している凹部４を有し、その内部に拘束ブロック６が配置されている。拘束ブロック６は、図７にその詳細が示されている。
【００６５】
上方では、拘束ブロック６が作動ボタン６１を有しており、下記に説明する。この場合の、ポールグリップ１上方背面の人間工学的形状は、同様に、拘束ブロック６によって形成される。なぜならば、拘束ブロック６は、フック１４の横に、２つの突出部５９を有し、それはいわば、保持ペグ１４を上方領域でとり囲む。
【００６６】
保持ペグ１４は、このように、ポールグリップ１の外郭に最適に埋め込まれ、邪魔にならず、怪我を防ぐことができる。しかし、図２に示すようなケーブルループ３３のための理想的な導入開口部が、上方から設けられる。
【００６７】
拘束ブロック６は、例えばケーブルループ３３のセルフラッチのためのピン５７を含む。ピン５７は、矢印４３の方向に実質的に水平及び平行に配置され、拘束ブロック６内にその目的のために特別に設けられた凹部６０に、変位可能に配置される。ピン５７は保持ペグ１４に、螺旋状バネ５８によってブレースされる。ピン５７は制限ノーズ１１を有し、それは好ましくは上方から傾斜しており、そして下方に向かって実質的に水平に設計されている。その場合、例えば上方から導入されたアイレット又はケーブルループ３３が、螺旋状バネ５８の応力に対抗して、ピン５７を背後側に変位させる。そして、ケーブルループがピン５７の下の領域１５に制止する。
【００６８】
図７ａ）は、拘束ブロック６を横から見た場合の全体図であり、この拘束ブロック６をポールグリップ１に固定させる要素と共に示されている。図７ｂ）は背後から見た図であり、すなわち、図６ａ）における矢印４３の方向から見た図である。図７ｃ）は、図７ｂ）の線Ａ−Ａで切った断面図である。最後に図７ｄ）は、上方から見た図である。
【００６９】
拘束ブロック６全体は、上部で開放しているポールグリップ１の凹部４に保持される。この目的のため、凹部４は、空隙５に通じる孔を有している。固定ピン５４が軸方向要素５６によって拘束ブロック６に取り付けられ、この孔を通じて空隙５に突出している。固定ピン５４は、上部において、固定ピンを拘束ブロック６上に軸方向要素５６によって回転可能に固定するための、小孔５５を有する。その底端では、固定ピン５４がねじ山を有している。
【００７０】
固定ピン５４又はそこに固定された拘束ブロック６は、空隙５の上部に当接した、止め具要素５２の力を借りて、螺旋状バネ５１によって下方にブレースされる。螺旋状バネ５１は、その一端を、止め具要素５２上に対応して設けられたショルダーに下方から乗せ、もう一端を、調節ナット５３によって固定ピン５４のねじ山に下方からねじ込まれたワッシャ６４の上に上方から乗せている。
【００７１】
この設計は、とりわけ、下記のような利点を有している。
第一に、全体的なユニットとして形成された拘束ブロック６が、非常に簡単に組み立て、配置される。拘束ブロックはポールグリップ１の凹部に上方から押し込まれ、その場合、拘束ブロック６上に設けられた固定ピン５４が凹部４と空隙５の間の貫通孔を通じて押し込まれる。続いて、第一に、止め具要素５２を、そして次に螺旋状のバネを、下方から、空隙５内の固定ピン上に押し出すことが可能である。そして最後に、ワッシャ及び調節ナット５３を固定ピン５４のねじ山にねじ込む。螺旋状バネ５１によって拘束ブロックにかかる、下方向の弾性的な固定力が、多少上方に向いた、調節ナット５３によって、又は異なったバネ係数を有する異なったバネの設置によって、又は、スペーサによって変化されたプレストレスによって調節される。最後に、回転軸方向要素４４がグリップ本体の孔４５又は拘束ブロック６の孔４８を通して横方向に押し込まれる。その結果、拘束ブロック６は、回転軸方向要素４４の周囲を回転できるように凹部４に設置される。
【００７２】
第二に、この設計によって、拘束ブロック６全体の調節可能な緊急作動が達成できる。これは、制限ノーズ１１に、ケーブルループ３３又はアイレットによって、下方から過剰な力が加わった場合（例えば落下）、拘束ブロック６全体が回転軸方向要素４４の周囲を、例えば図６ｃ）及び図７ｃ）に示すように、反時計回りに回転するからである。これは、領域１５が開放され、ケーブルループ３３又はアイレットがフックから外れるまで生じる。この設計はとりわけ、例えばポールシャフトが空隙５から除去され、下方から調節ナット５３を、必要に応じ、対応するツールによって調節できることにより作動力が非常に簡単に、調節できるという利点がある。バネを、グリップ領域内又は下に、例えば部分的に露出したきざみ付きナットの形状で導入された調節装置によって調節することも考えられる。この場合、作動力を変更するために、グリップを取り外しする必要がない。螺旋状のバネ５１を使用すると、広範な温度範囲において確実に安全に作動し、さらに、螺旋状バネ５１はポールグリップ１の内部に効果的に隠れ、その結果、汚染や着氷が避けられる。
【００７３】
保持ペグ１４上に押し込まれたアイレットあるいはケーブルループが、領域１５から通常の状態で開放される場合、この目的のために、作動ボタン６１が拘束ブロック６上に設けられる。回転性の軸方向要素６２が、拘束ブロック６内で、水平方向、及びピン５７を横切る方向に配置される。作動ボタン６１を形成する要素が、この軸方向の要素に対して傾斜できるように（図６ｃにおいて時計回りの方向）拘束ブロック６の内部に配置される。さらに、ガイドピン６３が、同様に、水平方向、及びピン５７を横切る方向に、ピン５７の内部に配置される。このガイドピン６３は、同様に、作動ボタン６１を形成する要素内に配置される。
【００７４】
例えば、ポールを握っている手の親指で、横方向の突出部５９と一体に形成される作動ボタン６１が、領域６１あるいは突起部５９で下向きに押されると、作動ボタンを形成する要素が全体としてわずかに下向きに傾斜し、その結果、回転軸方向要素６２に対して回転すると同時に、螺旋状バネ５８の力に対抗して、ピン５７をガイドピン６３によって内部に押し込み、領域１５を上方に開放し、また、この領域に制止したループをも解除する。
【００７５】
この設計は、突起部５９が望ましい作動を可能にするべく理想的に位置づけされていれば、非常に有利である。しかし、望ましくない作動は完全に避けられるものではない。
【図面の簡単な説明】
【００７６】
【図１ａ】ポールグリップを横方向から見た、部分的に透明な図である。
【図１ｂ】ポールグリップを背後から（手の側から）見た図である。
【図１ｃ】ポールグリップを横方向から見た分解図である。
【図１ｄ】図１ｃ）を線Ａ−Ａで切り取った断面図である。
【図１ｅ】図１ｃ）の線Ａ−Ａで切り取った分解図である。
【図１ｆ】ポールグリップの透視分解図である。
【図１ｇ】フック上に安全作動要素を設けた、別のフック状装置を示す図である。
【図２】親指と人差し指の間にループを設けた、手保持装置を示す図である。
【図３ａ】親指と人差し指の間にループを設けた、手保持装置の一つの説明図である。
【図３ｂ】親指と人差し指の間にループを設けた、手保持装置の別の説明図である。
【図３ｃ】親指と人差し指の間にループを設けた、手保持装置のさらに別の説明図である。
【図４ａ】ポールグリップの、拘束ブロックを挿入した状態の横方向の図である。
【図４ｂ】ポールグリップの、拘束ブロックのない横方向の図である。
【図４ｃ】拘束ブロックそのものを示す図である。
【図５ａ】図４に類似したポールグリップの図であって、別の安全作動要素を有さない安全作動手段を示す図である。
【図５ｂ】変位可能に取り付けられた安全作動手段を有する安全作動手段を示す図である。
【図５ｃ】回転可能に取り付けられた安全作動要素を有する安全作動手段である。
【図５ｄ】全体として弾性的に変形できる安全作動要素を示す図である。
【図５ｅ】安全作動要素がフック状装置の内部に配置された、安全作動手段を示す図である。
【図５ｆ】フック状装置が全体として傾斜できる安全作動手段を示す図である。
【図６ａ】ポールグリップ１の全体を、横から見た図である。
【図６ｂ】ポールグリップ１の全体を、背後から見た図である。
【図６ｃ】図６ｂ）の線Ｂ−Ｂで切り取った軸部の断面図である。
【図６ｄ】ポールグリップ全体を上方から見た図である。
【図７ａ】拘束ブロック６を横から見た図であり、この拘束ブロック６をポールグリップ１に固定する要素と共に示している。
【図７ｂ】拘束ブロックを後ろから見た図である。
【図７ｃ】図７ｂ）の線Ａ−Ａで切り取った断面図である。
【図７ｄ】拘束ブロックを上方から見た図である。
【符号の説明】
【００７７】
１      ポールグリップ
３      グリップ本体
４      ３における凹部
５      ３におけるポールシャフト用空隙
６      拘束ブロック
７      バネ
８      ７のための停止ボア
９      作動ボタン
１０    引張バネ
１１    制約ノーズ
１２    安全作動要素
１３    １２の軸方向要素
１４    保持ペグ
１５    固定されたループ／アイレットの領域
１６    固定プレート
１７    ９のガイドスロット
１９    ７のガイドペグ
２０    クロスピース
２１    固定ピン／ねじ
２２    軸ピン
２３    ６における２２のための孔
２４    ６における凹部
２５    手袋
２６    親指
２７    人差し指
２８    中指
２９    薬指
３０    小指
３１    捲回固定装置
３２    ３１のための調節手段
３３    ケーブルループ
３４    ガイドスリープ
３５    ケーブル
３６    ３５のための固定具
３７    ３５のための偏向手段
３８    ３５のための長さを変えられる固定具
３９    延展部のボタン
４０    後退部のボタン
４１    ３３のためのポケット
４２    １４における凹部
４３    手の側
４４    ６の回転軸要素
４５    ３における４４のための孔
４６    バネ用の凹部
４７    バネ用のスロットガイド
４８    ６における４４のための孔
４９    螺旋状のバネ
５０    １４の回転軸方向要素
５１    螺旋状のバネ
５２    止め具要素
５３    調節ナット
５４    固定ピン
５５    ５４の小孔
５６    軸方向要素
５７    ピン
５８    螺旋状のバネ
５９    ６の横方向の突出部
６０    ６における５７のための凹部
６１    作動ボタン
６２    ６１のための回転性軸要素
６３    ５７のためのガイドピン
６４    ワッシャ
【図１】
2008525647.tif 000003
【図１】
2008525647.tif 000004
【図１】
2008525647.tif 000005
【図１】
2008525647.tif 000006
【図２】
2008525647.tif 000007
【図３】
2008525647.tif 000008
【図４】
2008525647.tif 000009
【図５】
2008525647.tif 000010
【図５】
2008525647.tif 000011
【図６】
2008525647.tif 000012
【図７】
2008525647.tif 000013
【国際調査報告】
2008525647.tif 000014
2008525647.tif 000015
2008525647.tif 000016
2008525647.tif 000017
2008525647.tif 000018
2008525647.tif 000019